(57)【要約】      （修正有）【課題】力の弱い子供や老人でも簡単に使うことが出来、蚤等の害虫を確実に捕獲できる蚤取り具を提供する。【解決手段】かえしＤを櫛本体Ａ上部のカバーＢの内側に取り付け、かえしＤの先端は蚤捕獲ケースＪの内側に向け、一列または複数列の透き間のない板状のかえしＤを櫛の歯ａの長手方向に対して鋭角に取り付ける。一列または複数列の透き間のない板状のかえしＤを櫛の歯ａの全幅に取り付け、一列のかえしは一枚、または、複数枚のかえしＤで構成される。捕獲した蚤が櫛本体Ａ上部のカバーＢの内側に取り付けられた透き間のない板状のかえしＤと櫛の歯ａの側面に阻まれて蚤捕獲ケースＪ内から逃げられないようにした蚤を捕獲するための蚤捕獲ケースＪである。【選択図】図７
2008154567.tif 000002
【特許請求の範囲】
【請求項１】
櫛と蚤捕獲ケースを用いる蚤取り具において、蚤を梳きだす手段の櫛の歯ａを取り付けた櫛本体Ａの上部にカバーＢを取り付けて蚤を捕獲するための蚤捕獲ケースＪを形成し、蚤捕獲ケースＪと櫛本体Ａが分離出来るようにし、蚤捕獲ケースＪに凹部Ｍを複数加工し、蚤捕獲ケースＪの凹部Ｍと噛み合うように櫛本体Ａに凸部Ｓを加工し、蚤捕獲ケースＪから櫛本体Ａを差し替える事が出来るようにし、かえしＤを櫛本体Ａ上部のカバーＢの内側に取り付け、かえしＤの先端は蚤捕獲ケースＪの内側に向け、一列または複数列の透き間のない板状のかえしＤを櫛の歯ａの長手方向に対して鋭角に取り付け、かえしＤの取り付け角度は櫛の歯ａの長手方向に対して１０°から８０°の間に固定し、一列または複数列の透き間のない板状のかえしＤを櫛の歯ａの全幅に取り付け、一列のかえしＤは一枚または複数枚のかえしＤで構成し、かえしＤの先端と櫛の歯ａの側面が接するようにかえしＤを取り付け、または、かえしＤの先端と櫛の歯ａの側面は蚤が蚤捕獲ケースＪ内に入ることが出来て入った蚤が逃げられない程度の透き間をあけてかえしＤを取り付け、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具。
【請求項２】
櫛と蚤捕獲ケースを用いる蚤取り具において、蚤を梳きだす手段の櫛の歯ａを取り付けた櫛本体Ａの上部にカバーＢを取り付けて蚤を捕獲するための蚤捕獲ケースＪを形成し、一列または複数列の透き間のない板状のかえしＤと櫛本体Ａ上部のカバーＢとを蝶番Ｐにより接続し、かえしＤの先端は蚤捕獲ケースＪの内側に向け、かえしＤの取り付け角度はかえしＤの蝶番Ｐを中心にして櫛の歯ａの長手方向に対して０°から８０°の間で可動出来るようにし、カバーＢとかえしＤの接続部である蝶番Ｐを雄ネジＫ１と雌ネジＫ２とで固定できるようにして、かえしＤの先端が櫛の歯ａの長手方向に対して０°から８０°の間の角度で固定出来るようにし、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具。
【請求項３】
櫛と蚤捕獲ケースを用いる蚤取り具において、蚤を梳きだす手段の櫛の歯ａを取り付けた櫛本体Ａの上部にカバーＢを取り付けて蚤を捕獲するための蚤捕獲ケースＪを形成し、一列または複数列の透き間のない板状のかえしＤと櫛本体Ａ上部のカバーＢとを蝶番Ｐにより接続し、かえしＤの先端は蚤捕獲ケースＪの内側に向け、蝶番Ｐに捩り発条Ｌを取り付けて、かえしＤの取り付け角度はかえしＤの蝶番Ｐを中心にして櫛の歯ａの長手方向に対して０°から８０°の間で可動出来るようにし、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具。
【請求項４】
櫛と蚤捕獲ケースを用いる蚤取り具において、蚤を梳きだす手段の櫛の歯ａを取り付けた櫛本体Ａの上部にカバーＢを取り付けて蚤を捕獲するための蚤捕獲ケースＪを形成し、かえしＤの取り付け部材Ｑと蚤捕獲ケースＪとの間に圧縮発条Ｒを取り付け、一列または複数列の透き間のない板状のかえしＤを櫛本体Ａ上部のカバーＢの内側の取り付け部材Ｑに取り付け、かえしＤの先端は蚤捕獲ケースＪの内側に向け、かえしＤの取り付け角度は櫛の歯ａの長手方向に対して１０°から８０°の間に固定し、かえしＤの先端と櫛の歯ａの側面が接するようにかえしＤを取り付け、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと部材Ｑと櫛本体Ａに阻まれて蚤捕獲ケースＪ内から逃げられないようにした、以上の事を特徴とする蚤取り具。
【請求項５】
櫛と蚤捕獲ケースを用いる蚤取り具において、蚤を梳きだす手段の櫛の歯ａを取り付けた櫛本体Ａの上部にカバーＢを取り付けて蚤を捕獲するための蚤捕獲ケースＪを形成し、蚤捕獲ケースＪと櫛本体Ａが分離出来るようにし、蚤捕獲ケースＪに凹部Ｍを複数加工し、蚤捕獲ケースＪの凹部Ｍと噛み合うように櫛本体Ａに凸部Ｓを加工し、蚤捕獲ケースＪから櫛本体Ａを差し替える事が出来るようにし、一列または複数列の透き間のない板状のかえしＤと櫛本体Ａ上部のカバーＢとを蝶番Ｐにより接続し、かえしＤの先端は蚤捕獲ケースＪの内側に向け、かえしＤの取り付け角度はかえしＤの蝶番Ｐを中心にして櫛の歯ａの長手方向に対して０°から８０°の間で可動出来るようにし、カバーＢとかえしＤの接続部である蝶番Ｐを雄ネジＫ１と雌ネジＫ２とで固定できるようにして、かえしＤの先端が櫛の歯ａの長手方向に対して０°から８０°の間の角度で固定出来るようにし、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具。
【請求項６】
櫛と蚤捕獲ケースを用いる蚤取り具において、蚤を梳きだす手段の櫛の歯ａを取り付けた櫛本体Ａの上部にカバーＢを取り付けて蚤を捕獲するための蚤捕獲ケースＪを形成し、蚤捕獲ケースＪと櫛本体Ａが分離出来るようにし、蚤捕獲ケースＪに凹部Ｍを複数加工し、蚤捕獲ケースＪの凹部Ｍと噛み合うように櫛本体Ａに凸部Ｓを加工し、蚤捕獲ケースＪから櫛本体Ａを差し替える事が出来るようにし、一列または複数列の透き間のない板状のかえしＤと櫛本体Ａ上部のカバーＢとを蝶番Ｐにより接続し、かえしＤの先端は蚤捕獲ケースＪの内側に向け、蝶番Ｐに捩り発条Ｌを取り付け、かえしＤの取り付け角度はかえしＤの蝶番Ｐを中心にして櫛の歯ａの長手方向に対して０°から８０°の間で可動出来るようにし、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具。
【請求項７】
櫛と蚤捕獲ケースを用いる蚤取り具において、蚤を梳きだす手段の櫛の歯ａを取り付けた櫛本体Ａの上部にカバーＢを取り付けて蚤を捕獲するための蚤捕獲ケースＪを形成し、蚤捕獲ケースＪと櫛本体Ａが分離出来るようにし、蚤捕獲ケースＪに凹部Ｍを複数加工し、蚤捕獲ケースＪの凹部Ｍと噛み合うように櫛本体Ａに凸部Ｓを加工し、蚤捕獲ケースＪから櫛本体Ａを差し替える事が出来るようにし、かえしＤの取り付け部材Ｑと蚤捕獲ケースＪとの間に圧縮発条Ｒを取り付け、一列または複数列の透き間のない板状のかえしＤを櫛本体Ａ上部のカバーＢの内側の取り付け部材Ｑに取り付け、かえしＤの先端は蚤捕獲ケースＪの内側に向け、かえしＤの取り付け角度は櫛の歯ａの長手方向に対して１０°から８０°の間に固定し、かえしＤの先端と櫛の歯ａの側面が接するようにかえしＤを取り付け、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと部材Ｑと櫛本体Ａに阻まれて蚤捕獲ケースＪ内から逃げられないようにした、以上の事を特徴とする蚤取り具。
【発明の詳細な説明】
【技術分野】
【０００１】  本発明は、犬や猫等のペットの蚤を取るための道具に関する技術分野である。
【背景技術】
【０００２】  現在発明されている蚤取り具は、不完全なものが多い。家庭用の掃除機等の吸引器具に接続して、蚤を吸引して捕獲する動物用ブラシ（例えば、特許文献１参照。）。犬や猫等のペットの大多数は、掃除機の吸引音やモーターの回転音が大変苦手である。この特許文献１の動物用ブラシを犬や猫等のペットに使用するのは大変難しい。殺虫剤と電気を併用した、動物用殺虫櫛（例えば、特許文献２参照。）。この動物用殺虫櫛は、害虫防除剤を使用するため、犬や猫等のペットに悪影響を及ぼし、電気は、蚤が仮死状態になるだけで、時間が経つと生き返る事が多く、維持費もかかる。また、かえしがついていないので、捕獲した蚤が歩いて逃げ出してしまう。捕獲用カバーをスライドさせて、受板とカバー本体の後部とに囲まれる部分に、梳き取った蚤を寄せ集める蚤取り器（例えば、特許文献３参照。）。この蚤取り器は、捕獲用カバーにかえしがついていないので、捕獲した蚤が歩いて逃げ出してしまう。同様に、上下方向に揺動する蚤取り器（例えば、特許文献４参照。）。この蚤取り器にも、かえしがなく、櫛歯と前板の間隔が拡大し、その部分から捕獲した蚤が歩いて逃げ出してしまう。また、蚤の逃げ隠れ場の刷毛補集部のある、囲い付き蚤取り櫛（例えば、特許文献５参照。）。この蚤取り櫛は、刷毛の中に蚤が入り込んでしまい、刷毛の中に入り込んでしまった蚤を取り除く事が大変である。感染症の恐れのある蚤を取り除く事が簡単にできないのは不衛生的であり、取り除く事ができなかった蚤の卵が刷毛の中で、孵化して増殖する事もある。また、刷毛補集部に入った蚤は刷毛の中に自由に出入りできるため、蚤取り櫛の囲いの外に簡単に逃げ出すことができてしまい、この刷毛補集部の刷毛は、かえしの機能を有していない。また、刷毛は一般的に、板状のかえしと比べて、コストがかかり、刷毛は蚤取り櫛に不適当である。また、梳き出した蚤を簡単且つ確実に捕獲できる蚤取り器（例えば、特許文献６参照。）。この蚤取り器は、掃除を容易にする手段として、櫛体の先端方向に備えた開口部を大きく解放する手段を備えている。櫛体の先端方向に備えた開口部を大きく解放できるようにすると、櫛で蚤を梳き出している時に、開口部が開いてしまう事があり、梳きにくく、蚤が逃げやすい。また、この蚤取り器には、かえしがないので、捕獲した蚤が開口部の透き間から歩いて逃げ出してしまう。【０００３】
【特許文献１】  登録第３００４６５２号公報
【特許文献２】  特開平９−２０５９１９号公報
【特許文献３】  実開平７−３４６４９号公報
【特許文献４】  特開平１０−６６４６８号公報
【特許文献５】  特開平８−３７９７７号公報
【特許文献６】  特許２６３１９４９号公報
【発明の開示】
【発明が解決しようとする課題】
【０００４】  現代人の日常生活において、特に子供や老人においては、犬や猫等のペットが非常に有益な伴侶になっている。しかし、獣毛の有る犬や猫等のペットには蚤等の害虫が寄生し、その害虫がペットだけでなく、買い主にも害を及ぼす。そこで、力の弱い子供や老人でも簡単に使うことが出来、蚤等の害虫を確実に捕獲できる蚤取り具を開発すること。【０００５】  櫛と蚤捕獲ケースを用いる蚤取り具において、蚤を梳きだす手段の櫛の歯を取りつけた櫛本体の上部にカバーを取りつけて蚤を捕獲するための蚤捕獲ケースを形成し、かえしを櫛本体上部のカバーの内側に取りつけ、かえしの先端は蚤捕獲ケースの内側に向け、一列または複数列の透き間のない板状のかえしを櫛の歯の長手方向に対して鋭角に取りつけ、かえしの取りつけ角度は櫛の歯の長手方向に対して１０°から８０°の間にし、一列または複数列の透き間のない板状のかえしを櫛の歯の全幅に取りつけ、一列のかえしは一枚または複数枚のかえしで構成し、かえしの先端と櫛の歯の側面が接するようにかえしを取りつけ、または、かえしの先端と櫛の歯の側面は蚤が蚤捕獲ケース内に入ることができて入った蚤が逃げられない程度の透き間をあけてかえしを取りつけ、捕獲した蚤が櫛本体上部のカバーの内側に取りつけられた透き間のない板状のかえしと櫛の歯の側面に阻まれて蚤捕獲ケース内から逃げられないようにした事を特徴とする蚤取り具（特願２００６−１８６０７１）がある。この蚤取り具では、一回で大量のペットの獣毛を櫛の歯で梳き取ると、蚤等の害虫の確保が短時間で出来る。しかし、蚤等の害虫とペットの獣毛とを一緒に櫛の歯で梳き取るには非常に大きい力が必要である。特に、ペットの獣毛を多く梳くと、非常に大きい力が必要になり、子供や老人は力が弱いので上手に梳く事が出来ない。【０００６】  よって、特願２００６−１８６０７１の蚤取り具を改良し、蚤等の害虫とペットの獣毛とを一緒に櫛の歯で梳き取る事を簡単にし、弱い力でも梳く事が出来るようにする。【０００７】  櫛と蚤捕獲ケースを用いる蚤取り具において、蚤を梳きだす手段の櫛の歯と、櫛本体上部のカバーの内側に取り付けたかえしとの距離や取り付け角度を変えることで、ペットの獣毛を櫛の歯で梳き取るのに必要な力を調整する。【０００８】  櫛と蚤捕獲ケースを用いる蚤取り具において、櫛の歯の取り付け位置を無段階的または段階的に変えられるようにし、櫛の歯とかえしの距離を変えられるようにする。また、櫛を交換できるようにして、使用目的に合わせて櫛の歯の間隔、反り具合、硬さ及び材質などを交換する。【０００９】  櫛と蚤捕獲ケースを用いる蚤取り具において、櫛の歯とかえしの取り付け角度を発条などを用いて変えられるようにする。
【課題を解決するための手段】
【００１０】  櫛と蚤捕獲ケースを用いる蚤取り具において、蚤を梳きだす手段の櫛の歯を取り付けた櫛本体の上部にカバーを取り付けて、蚤を捕獲するための蚤捕獲ケースを形成する。
かえしを櫛本体上部のカバーの内側に取り付ける。かえしの先端は蚤捕獲ケースの内側に向ける。一列または複数列の透き間のない板状のかえしを櫛の歯の長手方向に対して鋭角に取り付ける。一列または複数列の透き間のない板状のかえしを櫛の歯の全幅に取り付ける。一列のかえしは一枚、または、複数枚のかえしで構成される。捕獲した蚤が櫛本体上部のカバーの内側に取り付けられた透き間のない板状のかえしと櫛の歯の側面に阻まれて蚤捕獲ケース内から逃げられないようにする。【００１１】  かえしを固定する場合は、かえしの取り付け角度は櫛の歯の長手方向に対して１０°から８０°の間にする。【００１２】  かえしを可動（回転運動）する場合は、かえしの取り付け角度は、かえしの取り付け部分の蝶番を中心にして、櫛の歯の長手方向に対して０°から８０°の間で可動（回転運動）出来るようにし、かえしの先端が櫛の歯の側面に対して好きな角度でネジなどで固定出来るようにする。【００１３】  かえしの先端と櫛の歯の側面が接するようにかえしを取り付け、かえしの取り付け部分の蝶番に捩り発条を取り付ける。【００１４】  かえしの先端と櫛の歯の側面が接するようにかえしを取り付け、かえしの取り付け部材と蚤捕獲ケースとの間に圧縮発条を取り付ける。【００１５】  蚤捕獲ケースと櫛本体が分離出来るようにする。櫛本体を好きな位置に差し替える事が出来るように、蚤捕獲ケースに差し込み口を複数取り付ける。櫛の歯の太さ、硬さ、間隔、長さ、カーブの曲がり方、材質等が違う櫛に替える事が出来るようにする。【００１６】  かえしと櫛の歯の取り付け角度は同じにする。例えば、かえしと櫛の歯との取り付け角度が３０°で、距離が２ｍｍの場合、距離を５ｍｍにした場合でも、角度は３０°である。蚤捕獲ケースに対して櫛本体は平行移動する。【００１７】  蚤捕獲ケース内に捕獲された蚤や、ペットの毛等の蚤捕獲ケースに入ったゴミ等を蚤捕獲ケース内から簡単に除去出来るように、刷毛や織物等の透き間から蚤捕獲ケースの外に蚤が歩いて逃げ出す事が可能なもの、ペットの毛が刷毛や織物等の透き間に入り込んでしまって除去するのが難しくなるもの、及び、捕獲した蚤が刷毛や織物等の透き間に入り込んでしまって除去するのが難しくなるものは、かえしの役割を果たす事が出来ないので、かえしに使用しない。
【発明の効果】
【００１８】  櫛本体を交換する事ができるので、使用する動物の毛の太さ、硬さ、長さ等によって、その動物に合った櫛を使用することができる。【００１９】  かえしの角度を自由に変える事ができるので、例えば、太い櫛の歯から細い櫛の歯に取り替えた場合でも、交換した櫛本体の位置に合わせて、蚤が入る事ができて入った蚤が逃げられない程度の透き間を維持する事ができる。【００２０】  かえしの先端と櫛の歯の側面が接するようにかえしを取り付け、かえしの取り付け部分に発条を取り付けると、蚤捕獲ケース内に入った蚤は、透き間がないので、蚤捕獲ケース内から逃げる事ができない。【００２１】  かえしの先端と櫛の歯の側面が接するようにかえしを取り付け、かえしの取り付け部分と蚤捕獲ケースとの間の蝶番に捩り発条を取り付けると、蚤捕獲ケース内に入った蚤は、透き間がないので、蚤捕獲ケース内から逃げる事ができない。
【発明の実施するための最良の形態】
【００２２】  発明の実施するための最良の形態を図面を参照して説明する。
図１及び図２において、蚤を梳きだす手段の櫛の歯ａを取り付けた櫛本体Ａの上部にカバーＢを取り付けて蚤を捕獲するための蚤捕獲ケースＪを形成し、蚤捕獲ケースＪと櫛本体Ａが分離出来るようにし、蚤捕獲ケースＪに凹部Ｍ（Ｍ１，Ｍ２）を複数加工し、蚤捕獲ケースＪの凹部Ｍと噛み合うように櫛本体Ａに凸部Ｓを加工し、蚤捕獲ケースＪから櫛本体Ａを差し替える事が出来るようにし、かえしＤを櫛本体Ａ上部のカバーＢの内側に取り付け、かえしＤの先端は蚤捕獲ケースＪの内側に向け、一列または複数列の透き間のない板状のかえしＤを櫛の歯ａの長手方向に対して鋭角に取り付け、かえしＤの取り付け角度は櫛の歯ａの長手方向に対して１０°から８０°の間に固定し、一列または複数列の透き間のない板状のかえしＤを櫛の歯ａの全幅に取り付け、一列のかえしＤは一枚または複数枚のかえしＤで構成し、かえしＤの先端と櫛の歯ａの側面が接するようにかえしＤを取り付け、または、かえしＤの先端と櫛の歯ａの側面は蚤が蚤捕獲ケースＪ内に入ることが出来て入った蚤が逃げられない程度の透き間をあけてかえしＤを取り付け、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【００２３】  図３において、蚤を梳きだす手段の櫛の歯ａを取り付けた櫛本体Ａの上部にカバーＢを取り付けて蚤を捕獲するための蚤捕獲ケースＪを形成し、一列または複数列の透き間のない板状のかえしＤと櫛本体Ａ上部のカバーＢとを蝶番Ｐにより接続し、かえしＤの先端は蚤捕獲ケースＪの内側に向け、かえしＤの取り付け角度はかえしＤの蝶番Ｐを中心にして櫛の歯ａの長手方向に対して０°から８０°の間で可動（回転運動）出来るようにし、カバーＢとかえしＤの接続部である蝶番Ｐは雄ネジＫ１と雌ネジＫ２とで固定できるようにして、かえしＤの先端が櫛の歯ａの側面に対して好きな角度で固定出来るようにし、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【００２４】  図４において、蚤を梳きだす手段の櫛の歯ａを取り付けた櫛本体Ａの上部にカバーＢを取り付けて蚤を捕獲するための蚤捕獲ケースＪを形成し、一列または複数列の透き間のない板状のかえしＤと櫛本体Ａ上部のカバーＢとを蝶番Ｐにより接続し、かえしＤの先端は蚤捕獲ケースＪの内側に向け、蝶番Ｐに捩り発条（ネジリバネ）Ｌを取り付け、かえしＤの取り付け角度はかえしＤの蝶番Ｐを中心にして櫛の歯ａの長手方向に対して０°から８０°の間で可動（回転運動）出来るようにし、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【００２５】  図５において、蚤を梳きだす手段の櫛の歯ａを取り付けた櫛本体Ａの上部にカバーＢを取り付けて蚤を捕獲するための蚤捕獲ケースＪを形成し、かえしＤの取り付け部材Ｑと蚤捕獲ケースＪとの間に圧縮発条Ｒを取り付け、一列または複数列の透き間のない板状のかえしＤを櫛本体Ａ上部のカバーＢの内側の取り付け部材Ｑに取り付け、かえしＤの先端は蚤捕獲ケースＪの内側に向け、かえしＤの取り付け角度は櫛の歯ａの長手方向に対して１０°から８０°の間に固定し、かえしＤの先端と櫛の歯ａの側面が接するようにかえしＤを取り付け、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと部材Ｑと櫛本体Ａに阻まれて蚤捕獲ケースＪ内から逃げられないようにした、以上の事を特徴とする蚤取り具である。
【００２６】  図２及び図６において、蚤を梳きだす手段の櫛の歯ａを取り付けた櫛本体Ａの上部にカバーＢを取り付けて蚤を捕獲するための蚤捕獲ケースＪを形成し、蚤捕獲ケースＪと櫛本体Ａが分離出来るようにし、蚤捕獲ケースＪに凹部Ｍを複数加工し、蚤捕獲ケースＪの凹部Ｍと噛み合うように櫛本体Ａに凸部Ｓを加工し、蚤捕獲ケースＪから櫛本体Ａを差し替える事が出来るようにし、一列または複数列の透き間のない板状のかえしＤと櫛本体Ａ上部のカバーＢとを蝶番Ｐにより接続し、かえしＤの先端は蚤捕獲ケースＪの内側に向け、かえしＤの取り付け角度はかえしＤの蝶番Ｐを中心にして櫛の歯ａの長手方向に対して０°から８０°の間で可動（回転運動）出来るようにし、カバーＢとかえしＤの接続部である蝶番Ｐは雄ネジＫ１と雌ネジＫ２とで固定できるようにして、かえしＤの先端が櫛の歯ａの長手方向に対して０°から８０°の間の角度で固定出来るようにし、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【００２７】  図２及び図７において、蚤を梳きだす手段の櫛の歯ａを取り付けた櫛本体Ａの上部にカバーＢを取り付けて蚤を捕獲するための蚤捕獲ケースＪを形成し、蚤捕獲ケースＪと櫛本体Ａが分離出来るようにし、蚤捕獲ケースＪに凹部Ｍを複数加工し、蚤捕獲ケースＪの凹部Ｍと噛み合うように櫛本体Ａに凸部Ｓを加工し、櫛本体Ａを差し替える事が出来るようにし、一列または複数列の透き間のない板状のかえしＤと櫛本体Ａ上部のカバーＢとを蝶番Ｐにより接続して、かえしＤの先端は蚤捕獲ケースＪの内側に向け、蝶番Ｐに捩り発条（ネジリバネ）Ｌを取り付け、かえしＤの取り付け角度はかえしＤの蝶番Ｐを中心にして櫛の歯ａの長手方向に対して０°から８０°の間で可動（回転運動）出来るようにし、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【００２８】  図２及び図８において、蚤を梳きだす手段の櫛の歯ａを取り付けた櫛本体Ａの上部にカバーＢを取り付けて蚤を捕獲するための蚤捕獲ケースＪを形成し、蚤捕獲ケースＪと櫛本体Ａが分離出来るようにし、蚤捕獲ケースＪに凹部Ｍを複数加工し、蚤捕獲ケースＪの凹部Ｍと噛み合うように櫛本体Ａに凸部Ｓを加工し、櫛本体Ａを差し替える事が出来るようにし、かえしＤの取り付け部材Ｑと蚤捕獲ケースＪとの間に圧縮発条Ｒを取り付け、一列または複数列の透き間のない板状のかえしＤを櫛本体Ａ上部のカバーＢの内側の取り付け部材Ｑに取り付け、かえしＤの先端は蚤捕獲ケースＪの内側に向け、かえしＤの取り付け角度は櫛の歯ａの長手方向に対して１０°から８０°の間に固定し、かえしＤの先端と櫛の歯ａの側面が接するようにかえしＤを取り付け、一列または複数列の透き間のない板状のかえしＤを櫛の歯ａの全幅に取り付け、一列のかえしＤは一枚または複数枚のかえしＤで構成し、捕獲した蚤が櫛本体Ａ上部のカバーＢの内側に取り付けられた透き間のない板状のかえしＤと部材Ｑと櫛本体Ａに阻まれて蚤捕獲ケースＪ内から逃げられないようにした、以上の事を特徴とする蚤取り具である。
【実施例１】
【００２９】  発明の実施例を図面参照して説明する。
図１及び図２において、幅が６１ｍｍで長さが４５ｍｍのプラスチックで作られた櫛本体Ａの上部に幅が６７ｍｍで高さが２１ｍｍで奥行きが３７ｍｍのプラスチックで作られたカバーＢを取り付けて蚤を捕獲するための蚤捕獲ケースＪを形成し、蚤捕獲ケースＪと櫛本体Ａが分離出来るようにし、蚤捕獲ケースＪに深さが２ｍｍで幅が１ｍｍの凹部Ｍ１と、深さが２ｍｍで幅が１ｍｍのＭ２を加工し、蚤捕獲ケースＪの凹部Ｍ１又はＭ２と噛み合うように櫛本体Ａに長さが２ｍｍで幅が１ｍｍの凸部Ｓを加工し、櫛本体Ａを差し替える事が出来るようにし、弾性のあるプラスチックで作られた幅が６１ｍｍで長さが１３ｍｍのかえしＤを櫛本体Ａ上部のカバーＢの内側に接着して取り付け、かえしＤの先端は蚤捕獲ケースＪの内側に向け、一列の板状のかえしＤを櫛の歯ａの長手方向に対して４５°に固定して取り付け、かえしＤの先端と櫛の歯ａの側面が接するようにかえしＤを取り付け、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【実施例２】
【００３０】  図３において、幅が６１ｍｍで長さが４５ｍｍのプラスチックで作られた櫛本体Ａの上部に６７ｍｍで高さが２１ｍｍで奥行きが３７ｍｍのプラスチックで作られたカバーＢを取り付けて蚤を捕獲するための蚤捕獲ケースＪを形成し、弾性のあるプラスチックで作られた幅が６１ｍｍで長さが１３ｍｍの板状のかえしＤと櫛本体Ａ上部のカバーＢとを蝶番Ｐにより接続し、かえしＤの先端は蚤捕獲ケースＪの内側に向け、かえしＤの取り付け角度はかえしＤの蝶番Ｐを中心にして櫛の歯ａの長手方向に対して０°から８０°の間で可動出来るようにし、カバーＢとかえしＤの接続部である蝶番Ｐは金属で作られた雄ネジＫ１と金属で作られた蝶ネジ（雌ネジ）Ｋ２とで固定できるようにして、かえしＤの先端が櫛の歯ａの側面に対して好きな角度で固定出来るようにし、板状のかえしＤを櫛の歯ａの全幅に取り付け、一列のかえしＤは一枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【実施例３】
【００３１】  図４において、幅が６１ｍｍで長さが４５ｍｍのプラスチックで作られた櫛本体Ａの上部に６７ｍｍで高さが２１ｍｍで奥行きが３７ｍｍのプラスチックで作られたカバーＢを取り付けて蚤を捕獲するための蚤捕獲ケースＪを形成し、弾性のあるプラスチックで作られた幅が６１ｍｍで長さが１３ｍｍの板状のかえしＤと櫛本体Ａ上部のカバーＢとを蝶番Ｐにより接続し、かえしＤの先端は蚤捕獲ケースＪの内側に向け、蝶番Ｐに金属で作られた捩り発条（ネジリバネ）Ｌを取り付け、かえしＤの取り付け角度はかえしＤの蝶番Ｐを中心にして櫛の歯ａの長手方向に対して０°から８０°の間で可動出来るようにし、板状のかえしＤを櫛の歯ａの全幅に取り付け、一列のかえしＤは一枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【実施例４】
【００３２】  図５において、幅が６１ｍｍで長さが４５ｍｍのプラスチックで作られた櫛本体Ａの上部に６７ｍｍで高さが２１ｍｍで奥行きが３７ｍｍのプラスチックで作られたカバーＢを取り付けて蚤を捕獲するための蚤捕獲ケースＪを形成し、幅が６１ｍｍで長さが１３ｍｍの弾性のあるプラスチックで板状のかえしＤを作り、幅が６１ｍｍで奥行きが１２ｍｍで厚さが２．５ｍｍのプラスチックで部材Ｑを作り、長さ６ｍｍで太さが直径３ｍｍの金属で作られた圧縮発条Ｒを４個用意し、かえしＤを部材Ｑに接着して取り付け、部材ＱとカバーＢとの間に圧縮発条４個を接着して取り付け、部材Ｑは櫛本体Ａ上部のカバーＢの内側に取り付け、かえしＤの先端は蚤捕獲ケースＪの内側に向け、かえしＤの取り付け角度は櫛の歯ａの長手方向に対して４５°に固定し、かえしＤの先端と櫛の歯ａの側面が接するようにかえしＤを取り付け、板状のかえしＤを櫛の歯ａの全幅に取り付け、捕獲した蚤が櫛本体Ａ上部のカバーＢの内側に取り付けられた透き間のない板状のかえしＤと部材Ｑと櫛本体Ａに阻まれて蚤捕獲ケースＪ内から逃げられないようにした、以上の事を特徴とする蚤取り具である。
【実施例５】
【００３３】  図２及び図６において、幅が６１ｍｍで長さが４５ｍｍのステンレススチールで作られた櫛本体Ａの上部に６７ｍｍで高さが２１ｍｍで奥行きが３７ｍｍのプラスチックで作られたカバーＢを取り付けて蚤を捕獲するための蚤捕獲ケースＪを形成し、蚤捕獲ケースＪと櫛本体Ａが分離出来るようにし、蚤捕獲ケースＪに深さが２ｍｍで幅が１ｍｍの凹部Ｍ１と、深さが２ｍｍで幅が１ｍｍのＭ２を加工し、蚤捕獲ケースＪの凹部Ｍ１又はＭ２と噛み合うように櫛本体Ａに長さが２ｍｍで幅が１ｍｍの凸部Ｓを加工し、蚤捕獲ケースＪから櫛本体Ａを差し替える事が出来るようにし、弾性のあるプラスチックで作られた幅が６１ｍｍで長さが１３ｍｍの板状のかえしＤと櫛本体Ａ上部のカバーＢとを蝶番Ｐにより接続し、かえしＤの先端は蚤捕獲ケースＪの内側に向け、かえしＤの取り付け角度はかえしＤの蝶番Ｐを中心にして櫛の歯ａの長手方向に対して０°から８０°の間で可動出来るようにし、カバーＢとかえしＤの接続部である蝶番Ｐは金属で作られた雄ネジＫ１と金属で作られた蝶ネジ（雌ネジ）Ｋ２とで固定できるようにして、かえしＤの先端が櫛の歯ａの側面に対して好きな角度で固定出来るようにし、板状のかえしＤを櫛の歯ａの全幅に取り付け、一列のかえしＤは一枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【実施例６】
【００３４】  図２及び図７において、幅が６１ｍｍで長さが４５ｍｍのステンレススチールで作られた櫛本体Ａの上部に６７ｍｍで高さが２１ｍｍで奥行きが３７ｍｍのプラスチックで作られたカバーＢを取り付けて蚤を捕獲するための蚤捕獲ケースＪを形成し、蚤捕獲ケースＪと櫛本体Ａが分離出来るようにし、蚤捕獲ケースＪに深さが２ｍｍで幅が１ｍｍの凹部Ｍ１と、深さが２ｍｍで幅が１ｍｍのＭ２を加工し、蚤捕獲ケースＪの凹部Ｍ１又はＭ２と噛み合うように櫛本体Ａに長さが２ｍｍで幅が１ｍｍの凸部Ｓを加工し、蚤捕獲ケースＪから櫛本体Ａを差し替える事が出来るようにし、弾性のあるプラスチックで作られた幅が６１ｍｍで長さが１３ｍｍの板状のかえしＤと櫛本体Ａ上部のカバーＢとを蝶番Ｐにより接続し、かえしＤの先端は蚤捕獲ケースＪの内側に向け、蝶番Ｐに金属で作られた捩り発条（ネジリバネ）Ｌを取り付け、かえしＤの取り付け角度はかえしＤの蝶番Ｐを中心にして櫛の歯ａの長手方向に対して０°から８０°の間で可動出来るようにし、板状のかえしＤを櫛の歯ａの全幅に取り付け、一列のかえしＤは一枚のかえしＤで構成し、捕獲した蚤が櫛本体Ａ上部のカバーＢの内側に取り付けられた透き間のない板状のかえしＤと櫛本体Ａに阻まれて蚤捕獲ケースＪ内から逃げられないようにした、以上の事を特徴とする蚤取り具である。
【実施例７】
【００３５】  図２及び図８において、幅が６１ｍｍで長さが４５ｍｍのステンレススチールで作られた櫛本体Ａの上部に６７ｍｍで高さが２１ｍｍで奥行きが３７ｍｍのプラスチックで作られたカバーＢを取り付けて蚤を捕獲するための蚤捕獲ケースＪを形成し、蚤捕獲ケースＪと櫛本体Ａが分離出来るようにし、蚤捕獲ケースＪに深さが２ｍｍで幅が１ｍｍの凹部Ｍ１と、深さが２ｍｍで幅が１ｍｍのＭ２を加工し、蚤捕獲ケースＪの凹部Ｍ１又はＭ２と噛み合うように櫛本体Ａに長さが２ｍｍで幅が１ｍｍの凸部Ｓを加工し、蚤捕獲ケースＪから櫛本体Ａを差し替える事が出来るようにし、幅が６１ｍｍで長さが１３ｍｍの弾性のあるプラスチックで板状のかえしＤを作り、幅が６１ｍｍで奥行きが１２ｍｍで厚さが２．５ｍｍのプラスチックで部材Ｑを作り、長さ６ｍｍで太さが直径３ｍｍの金属で作られた圧縮発条Ｒを４個用意し、かえしＤを部材Ｑに接着して取り付け、部材ＱとカバーＢとの間に圧縮発条４個を接着して取り付け、部材Ｑは櫛本体Ａ上部のカバーＢの内側に取り付け、かえしＤの先端は蚤捕獲ケースＪの内側に向け、かえしＤの取り付け角度は櫛の歯ａの長手方向に対して４５°に固定し、かえしＤの先端と櫛の歯ａの側面が接するようにかえしＤを取り付け、板状のかえしＤを櫛の歯ａの全幅に取り付け、捕獲した蚤が櫛本体Ａ上部のカバーＢの内側に取り付けられた透き間のない板状のかえしＤと部材Ｑと櫛本体Ａに阻まれて蚤捕獲ケースＪ内から逃げられないようにした、以上の事を特徴とする蚤取り具である。
【産業上の利用可能性】
【００３６】  総務省統計局の平成１７年５月１日現在の人口推計概算値は、１億２７５８万人である。例えば、本発明の蚤取り具を５％の人が１年に１本購入すると、６３７万本の販売が見込める。本発明のブラシの売価を１本１０００円とすると、総売上は約６３億７千万円となり、その３０％が利益とすると、純利益金は約１９億円である。
【図面の簡単な説明】
【００３７】
【図１】本発明の実施例を示す、正面図と側面図の断面図である。
【図２】本発明の実施例を示す、櫛本体Ａと蚤捕獲ケースＪの関係を示す部分拡大図である。
【図３】本発明の実施例を示す、側面図の断面図と、側面図の部分拡大図である。
【図４】本発明の実施例を示す、側面図の断面図と、側面図の部分拡大図である。
【図５】本発明の実施例を示す、側面図の断面図である。
【図６】本発明の実施例を示す、側面図の断面図と、側面図の部分拡大図である。
【図７】本発明の実施例を示す、側面図の断面図と、側面図の部分拡大図である。
【図８】本発明の実施例を示す、側面図の断面図である。
【符号の説明】
【００３８】Ａ：櫛本体。                    Ｂ：カバー。
Ｄ：かえし。                    Ｊ：蚤捕獲ケース。
Ｋ１：雄ネジ。                  Ｋ２：雌ネジ。
Ｌ：捩り発条（ネジリバネ）。    Ｍ１，Ｍ２：凹部。
Ｐ：蝶番。                      Ｑ：部材。
Ｒ：圧縮発条。                  Ｓ：凸部。
ａ：櫛の歯。
【図１】
2008154567.tif 000003
【図２】
2008154567.tif 000004
【図３】
2008154567.tif 000005
【図４】
2008154567.tif 000006
【図５】
2008154567.tif 000007
【図６】
2008154567.tif 000008
【図７】
2008154567.tif 000009
【図８】
2008154567.tif 000010